(57)【要約】      （修正有）【課題】  搬送物を置かないときはストッパーをパレット内に収容し、置いたとき自動的にパレット上面に突出させて、載せた巻取り体などの転がりによる落下事故を防ぐ。【解決手段】  パレット本体１０の上面１０ａの孔１１にスライド自在に嵌合し、搬送物否載置状態で一部が上面１０ａから突出し、搬送物載置状態で全部が上面１０ａ以下にあるボタン型突起部２０と、孔１１を挟んで対称的に設けられた一対の凹所１２ａ、１２ｂにスライド自由に嵌合し、上面１０ａに中央から外側方向に行くほど高くなる斜面３１ａ、３１ｂを備え、搬送物否載置状態で上面１０ａ以下にあり、搬送物載置状態で大部分が上面１０ａから突出する一対のストッパー３０Ａ、３０Ｂと、ボタン型突起部２０の下部とストッパー３０Ａ、３０Ｂの下部との間に、両端部においてスライド及び回動自由に係合して、上下動を逆方向に伝えるレバー４０Ａ、４０Ｂとを備えた構成とする。【選択図】図１
2006273389.tif 000002
【特許請求の範囲】
【請求項１】
パレット本体と、
前記パレット本体の上面の略中央部に設けた孔に上下方向へスライド自由に嵌合し、搬送物否載置状態で一部が前記上面より突出し、搬送物載置状態で全部が前記上面より下にあるボタン型突起部と、
前記上面に前記孔を挟んで対称的に設けた一対の凹所に、それぞれ上下方向へスライド自由に嵌合し、それ自体の上面に前記ボタン型突起部に対向する側の端部から外側に向かって高くなる斜面を備え、前記搬送物否載置状態で全部が前記パレット本体の上面より下にあり、前記搬送物載置状態で少なくとも一部が前記パレット本体の上面より上にある一対のストッパーと、
一端が、前記ボタン型突起部の下部に設けられた支持部にスライド及び回動自由に係合し、他端が、前記一対のストッパーのいずれかの下部に設けられた支持部にスライド及び回動自由に係合し、前記一対のストッパーを前記搬送物否載置状態から前記搬送物載置状態に変えるために前記ボタン型突起部の下降力を上昇力に変えて前記一対のストッパーに伝え、前記ボタン型突起部を前記搬送物載置状態から前記搬送物否載置状態に変えるために前記一対のストッパーの下降力を上昇力に変えて前記ボタン型突起部に伝える一対のレバーと、
を含む搬送物落下防止機能付きパレット。
【請求項２】
請求項１に記載の搬送物落下防止機能付きパレットにおいて、
前記パレット本体は、その下面であって前記中央部に設けた孔と同じ位置に、前記ボタン型突起部の前記送物否載置状態での突出量以上深い孔が形成されていること
を特徴とする搬送物落下防止機能付きパレット。
【発明の詳細な説明】
【技術分野】
【０００１】
本発明は、フォークリフトなどの運搬手段と組み合わせて使用するパレットに関し、特に、巻き取り体を載せたときの落下防止機能を備えた搬送物落下防止機能付きパレットに関するものである。
【背景技術】
【０００２】
従来、運搬用のパレットには様々な種類があるが、現在、ロール状の巻取り体には、主として、木製、樹脂製の平型パレットが使用されている。
しかし、巻取り体を運搬する際には、一般に巻取り芯を水平にして運搬されるので、パレット上で転がって落下しないような配慮が必要である。そこで、落下防止用のストッパーを手作業でセットすることが広く行われている。また、パレット上面の端部付近に着脱可能なストッパーを設けた「パレット」（例えば、特許文献１）が提案されている。
【０００３】
上記の手作業による場合は、積荷をパレット上にセットするのを忘れ、あるいはセット状態に不備があるなどの理由で、落下事故を起こすことがあった。
また、特許文献１の場合は、パレットに巻取り体を載せる際や、パレットの保管のため重ね置きする際には、ストッパーが邪魔になるという欠点があった。
さらに、特許文献１の場合は、保管などのために重ね置きをするときに、パレットからストッパーを取り外さなくてはならない。そのため、余分な手間と管理をしなければならず、保管スペースが別に必要となる。
【特許文献１】実公平６−１７７０７号公報
【発明の開示】
【発明が解決しようとする課題】
【０００４】
本発明の課題は、作業者がストッパーを意識することなくパレットに巻取り体を載せることができ、また、巻取り体を載せた後に落下防止ストッパーを取付ける必要がなく、かつ、安全に巻取り体を運搬することができ、しかも、重ね置きにも適した、搬送物落下防止機能付きパレットを提供することである。
【課題を解決するための手段】
【０００５】
前記課題を解決するために、請求項１の発明は、パレット本体と、前記パレット本体の上面の略中央部に設けた孔に上下方向へスライド自由に嵌合し、搬送物否載置状態で一部が前記上面より突出し、搬送物載置状態で全部が前記上面より下にあるボタン型突起部と、前記上面に前記孔を挟んで対称的に設けた一対の凹所に、それぞれ上下方向へスライド自由に嵌合し、それ自体の上面に前記ボタン型突起部に対向する側の端部から外側に向かって高くなる斜面を備え、前記搬送物否載置状態で全部が前記パレット本体の上面より下にあり、前記搬送物載置状態で少なくとも一部が前記パレット本体の上面より上にある一対のストッパーと、一端が、前記ボタン型突起部の下部に設けられた支持部にスライド及び回動自由に係合し、他端が、前記一対のストッパーのいずれかの下部に設けられた支持部にスライド及び回動自由に係合し、前記一対のストッパーを前記搬送物否載置状態から前記搬送物載置状態に変えるために前記ボタン型突起部の下降力を上昇力に変えて前記一対のストッパーに伝え、前記ボタン型突起部を前記搬送物載置状態から前記搬送物否載置状態に変えるために前記一対のストッパーの下降力を上昇力に変えて前記ボタン型突起部に伝える一対のレバーと、を含む搬送物落下防止機能付きパレットである。
【０００６】
請求項２の発明は、請求項１に記載の搬送物落下防止機能付きパレットにおいて、前記パレット本体は、その下面であって前記中央部に設けた孔と同じ位置に、前記ボタン型突起部の前記送物否載置状態での突出量以上深い孔が形成されていることを特徴とする搬送物落下防止機能付きパレットである。
【発明の効果】
【０００７】
以上説明したように、請求項１の発明によれば、パレット本体の上面の中央部に、上下に動くボタン型突起部と、これを挟んで対向し上下に動く一対のストッパーと、一対のストッパーのそれぞれとボタン型突起部の上下の動きが逆方向になるように連結するレバーを備えることにより、搬送物の否載置時に外部に突き出ていたボタン型突起部は、搬送物載置時にはパレット本体の内部に収容され、同時にこの動きがレバーにより伝えられて、それまでパレット本体内に収容されていた一対のストッパーを押し上げて、パレット本体の上面から突き出させるので、搬送物載置の邪魔にならず、作業者は巻取り体を載せる場合でも、ストッパーを意識しなくてもよく、また、載せた後に落下防止ストッパーを取付ける必要がなく、かつ、安全に巻取り体を運搬することができる。
【０００８】
請求項２の発明によれば、パレット本体は、上面の中央部の孔から下側の領域に、下面の前記孔に対向する部分に所定深さの孔を備えることにより、下段のパレット本体の上面から突き出したボタン型突起部を上段のパレット本体の内部に進入させることができるので、重ね置きが容易で、不使用時の保管スペースが少なくてよい。
【発明を実施するための最良の形態】
【０００９】
本発明は、作業者がストッパーを意識することなくパレットに巻取り体を載せることができ、載せた後の落下事故を防ぐ機能を備えたパレットを提供するという目的を、搬送物を搭載しないときは、ストッパーをパレット内に収容し、搬送物を搭載したとき自動的にパレット上面からストッパーが突き出るようにして実現する。
【実施例】
【００１０】
図１は、本発明によるパレットの実施例の機構を説明するために、中央部を切断し拡大して示した説明図（断面図）である。図１は、図２のＸ−Ｘで切断したものである。
図２は、図１のパレットの平面図である。ただし、フォークリフトのフォークの爪を挿入すべき孔に関係する部分の表示は省略してある。
図３は、図１のパレットの外観を示す斜視図である。
【００１１】
図１〜図３に示すように、本発明の搬送物落下防止機能付きパレットは、パレット本体１０の上面１０ａの中央部に設けられたボタン型突起部２０が、載置された巻取り体１によって押し下げられることによって、上面１０ａ上に、落下防止用のストッパー３０Ａ、３０Ｂが形成されるようにしたものである。
ボタン型突起部２０は、上面１０ａに設けられた孔１１に、上下方向へのスライドが自由な状態で嵌合している。
ボタン型突起部２０は、搬送物否載置状態では、一部が上面１０ａから突出し、搬送物載置状態で全部が前記上面以下となってパレット本体１０の内部に収容される。
なお、図３に示すパレット本体１０の側面に設けられた孔１５、１５・・・１５は、パレットを、図示しないフォークリフトで運搬するときに、フォークの爪を挿入するための孔である。
【００１２】
上面１０ａには、孔１１を挟んで対称的に設けられた一対の凹所１２ａ、１２ｂが設けられている。凹所１２ａにはストッパー３０Ａが、凹所１２ｂにはストッパー３０Ｂが、それぞれに上下方向へのスライド自由に嵌合している。
一対のストッパー３０Ａと３０Ｂは同形である。その外形の底面は水平で、前面と後面は対称的な三角形であり、自体の上面に、孔１１側の端部から外側に向かって高くなる斜面３１ａ、３１ｂをそれぞれ備えている。
ストッパー３０Ａ、３０Ｂは、搬送物否載置状態では、全部が上面１０ａより下にあり、搬送物載置状態では底部を僅か残して殆ど全部が前記上面１０ａより上に突き出た状態となる。
【００１３】
一対のレバー４０Ａ、４０Ｂは、搬送物載置によるボタン型突起部２０の下降力を、その方向を変えて伝達し、ストッパー３０Ａ、３０Ｂを上昇させる部材である。
レバー４０Ａは、支軸４１ａを支点として、レバー４０Ｂは、支軸４１ｂを支点として、回動し両端部の動く向きを変えることができるので、前記搬送物否載置状態では、ボタン型突起部２０は、その移動範囲の最上位にあるが、ストッパー３０Ａ、３０Ｂは、その移動範囲の最下位になっている。また、前記搬送物載置状態では、ボタン型突起部２０は、その移動範囲の最下位にあるが、ストッパー３０Ａ、３０Ｂは、その移動範囲の最上位になっている。
なお、図１の実線で示したボタン型突起部２０、及び、ストッパー３０Ａ、３０Ｂは、搬送物否載置状態の場合を示し、同図の二点鎖線では搬送物載置状態の場合を示している。図３は、搬送物否載置の状態で示されている。
【００１４】
レバー４０Ａの一端、及び４０Ｂの一端は、ボタン型突起部２０の下部に設けられた支持部２１に、長手方向へのスライド及び回動自由に係合している。一方、レバー４０Ａの他端は、ストッパー３０Ａの下部に設けられた支持部３１ａに、レバー４０Ｂの他端は、ストッパー３０Ｂの下部に設けられた支持部３１ｂに、それぞれ長手方向へのスライド及び回動自由に係合している。
なお、支持部３１ａに固定された支持棒３３ａ、及び、支持部３１ｂに固定された支持棒３３ｂは、いずれもストッパー３０Ａ、３０Ｂそれぞれの底面の水平を保ち、滑らかな上下運動を維持させるためのものである。
【００１５】
図４は、レバー４０Ａを介してのボタン型突起部２０とストッパー３０Ａの係合を、搬送物否載置状態で示した説明図（正面図）である。
図５は、図４と同様の係合を、搬送物載置状態で示した説明図（正面図）である。
図４、図５に示すように、支軸４１Ａを支点として回動するレバー４０Ａの両端部４２ａ、４３ａに設けられた切込み４４ａ、４５ａは、レバー４０Ａの長手方向に長く、そのうちの一方の切込み４４ａは、ボタン型突起部２０の下部に設けられた支持部２１のピン２１ａに、スライド自由に係合している。また、他方の切込み４５ａは、ストッパー３０Ａの下部に設けられた支持部３２ａのピン３４ａにスライド自由に係合している。
レバー４０Ｂを介してのボタン型突起部２０とストッパー３０Ｂの係合も同様であるので説明は省略する。
【００１６】
図４の状態から巻取り体１をパレット本体１０の上面に載せると、巻取り体１の重力で、ボタン型突起部２０が押し下げられるので、レバー４０Ａは、支軸４１ａを中心として、同図における時計方向に回転し、ストッパー３０Ａを押し上げる。
同時に、レバー４０Ｂは、支軸４１ｂを中心として、同図における反時計方向に回転し、ストッパー３０Ｂを押し上げる。
この状態は、搬送物載置状態である。
【００１７】
図６は、載置されるべき巻取り体１とストッパー３０Ａ、３０Ｂの関係を搬送物否載置状態で簡略して示した説明図（斜視図）である。
図６の状態では、巻取り体１を、パレットのどの方向から置いてもストッパーは邪魔になることはない。
図６の状態から巻取り体１をパレット上に置くと、図７の状態となる。
図７は、巻取り体１とストッパー３０Ａ、３０Ｂの関係を搬送物載置状態で簡略して示した説明図（斜視図）である。
図７の状態では、ストッパー３０Ａと３０Ｂの対向する斜面の少なくとも一方、あるいは両方が、巻取り体１の表面に当接する。したがって、取巻き体１は、パレット本体の上面１０ａとストッパーの斜面３１ａ、３１ｂの２面以上によって支持され、回転しにくくなり、落下事故を有効に防止する。
【００１８】
図８は、図１のパレットの複数個を重ねて積み上げた状態を、簡略して示す説明図（正面図）である。
本実施例のパレットは、図１に示すように、ボタン型突起部２０をスライド自由に支持する孔１１が、パレット本体１０の上面１０ａから下面１０ｂまで貫通しているので、ボタン型突起部２０の下側には十分な空隙があり、パレットを重ね置きしたとき、下段のボタン型突起部２０の突出した部分が、上段のパレットの下部中央の空隙に丁度はめ込むことができる。したがって、図示のような重ね置きが可能となる。
【００１９】
（変形例）
以上説明した実施例に限定されることなく、種々の変形や変更が可能であって、それらも本発明の均等の範囲内である。
例えば、パレット本体、ボタン型突起部、ストッパー、レバーなどの形態や、細部構造については、上記の説明と異なっていても、本発明の主旨に沿うものであれば、そのいずれでもよい。
例えば、パレット本体１０の中央部に設けた孔１１は、パレット本体１１の上面から下面まで貫通している例で説明したが、下段のパレット本体の上面から突き出したボタン型突起部２０を上段のパレット本体の内部に進入させることができれば、貫通していない穴でもよい。
【図面の簡単な説明】
【００２０】
【図１】本発明によるパレットの実施例を切断して示した説明図（断面図）である。
【図２】図１のパレットの平面図である。
【図３】図１のパレットの外観を示す斜視図である。
【図４】レバーによるボタン型突起部とストッパーの係合状況を搬送物否載置状態で示す説明図（正面図）である。
【図５】図４同様の係合状況を搬送物載置状態で示した説明図（正面図）である。
【図６】巻取り体とストッパーの関係を搬送物否載置状態で示した説明図（斜視図）である。
【図７】巻取り体とストッパーの関係を搬送物載置状態で示した説明図（斜視図）である。
【図８】パレット複数個の重み置き状態を示す説明図（正面図）である。
【符号の説明】
【００２１】
１    巻取り体
１０    パレット本体
１１    孔
１２ａ、１２ｂ    凹所
２０    ボタン型突起部
３０Ａ、３０Ｂ    ストッパー
４０Ａ、４０Ｂ    レバー
４１ａ、４１ｂ    支軸
【図１】
2006273389.tif 000003
【図２】
2006273389.tif 000004
【図３】
2006273389.tif 000005
【図４】
2006273389.tif 000006
【図５】
2006273389.tif 000007
【図６】
2006273389.tif 000008
【図７】
2006273389.tif 000009
【図８】
2006273389.tif 000010